(57)【特許請求の範囲】
【請求項１】
始動条件が成立することにより図柄変動表示器に数字，記号等の複数の図柄を２列にて動画状に流れる如くに変動表示し、数秒後にその変動表示を停止させて両列の停止図柄の同一性を判定し、両列の停止図柄が同一でなかったときは３列目を表示しない一方、両列の停止図柄が同一であると判定されるとその両列の停止図柄を幅方向に縮小させてその間に新たに３列目の図柄を動画状に流れる如くに変動表示し、数秒後にその３列目の図柄の変動表示を停止させ、全３列の停止図柄が同一であると判定された場合に大当たりが発生し可変入賞装置が継続的に開成状態となるようにしたことを特徴とするパチンコ遊技機。
【発明の詳細な説明】
【０００１】
【発明の属する技術分野】
本発明は、遊技盤に設けられた液晶表示器等の図柄変動表示器に数字，記号等の複数の図柄を動画状に流れる如くに変動表示させる複数の表示列が設けられ、該各表示列が同一図柄で停止すると大当たりが発生し、可変入賞装置を継続的に開成状態とし打球を入賞し易くするように構成されたパチンコ遊技機に関するものである。
【０００２】
【従来の技術】
遊技盤面にカラー液晶表示器，ＣＲＴ等の図柄変動表示器が設けられ、遊技者の打った打球がチューリップ型の始動口に入ることで始動条件が成立すると、該図柄変動表示器に１〜８の数字および☆◆◎等の記号またはキャラクター等の図柄が夫々上下または左右に流れる如くに複数の表示列（通常は３列）にて変動表示され、その変動表示はまもなく停止し、その停止図柄が所定の確率（１／３００程度）で偶然性をもって例えば「２２２」，「７７７」，「☆☆☆」のように各列とも同じ図柄となった場合に大当たりとなり、可変入賞装置（大入賞口）の開閉扉がソレノイドの作動により継続的に開成状態となり、打球を非常に入賞し易くすることで多数の景品球を獲得できて遊技者に多くの利益がもたらされるように構成されたパチンコ遊技機は周知の通りである。
【０００３】
上記図柄変動表示器の変動表示は、通常は左列，右列，中列の順に時間差をもって停止し、左列と右列の停止図柄が同一になった場合（一般に「リーチ」と称されている）は、中列も同一に揃うという期待感が高められることから、その消長に遊技者の関心が持たれるものであった。またこうしたリーチ時に、画面をフラッシュさせたり、図柄変動表示器に何らかのサインやキャラクターを登場させたりするなど、いろいろな表示態様を採ることで、遊技者の大当たり発生に対する期待感を大きくさせ、遊技者を楽しませている。
【０００４】
【発明が解決しようとする課題】
ところで従来の上記パチンコ遊技機では、左列と右列の停止図柄が同一とならなかった場合でも中列の図柄変動が停止するまでは始動条件が成立していても次の変動表示が開始されなかったので、このため大当たりとなる可能性が全くないにも拘わらず中列が停止するまで待たなければならず無意味な時間を採らせるものであった。言い換えればそのような無駄時間があることで、遊技のテンポが緩慢になり、遊技者をエキサイトさせることの障害となるものであった。
【０００５】
そこで本発明は、こうした無駄時間をなくしテンポよく遊技できるようにし、パチンコ遊技を一層興趣あるものにしようとするものである。
【０００６】
【課題を解決するための手段】
そのために本発明は、始動条件が成立することにより図柄変動表示器に数字，記号等の複数の図柄を２列にて動画状に流れる如くに変動表示し、数秒後にその変動表示を停止させて両列の停止図柄の同一性を判定し、両列の停止図柄が同一でなかったときは３列目を表示しない一方、両列の停止図柄が同一であると判定されるとその両列の停止図柄を幅方向に縮小させてその間に新たに３列目の図柄を動画状に流れる如くに変動表示し、数秒後にその３列目の図柄の変動表示を停止させ、全３列の停止図柄が同一であると判定された場合に大当たりが発生し可変入賞装置が継続的に開成状態となるようにしたことを特徴とする。
【０００７】
【発明の実施の形態】
次に発明の実施形態を図面に従い説明する。図１にこのパチンコ遊技機における遊技盤の正面を示す。図中、２はこの遊技盤１上に設けられたカラー液晶表示器からなる図柄変動表示器、３は普通入賞口、４は通過ゲート、５はソレノイドにより一対の羽根６が開閉動し得るように設けられたチューリップ型の始動口である。７は該始動口５の下方に設けられた大きな長方形状の大入賞口からなる可変入賞装置で、該可変入賞装置７にはソレノイドの作動により開閉動する開閉扉８が設けられ、該可変入賞装置７内には継続入賞口９が設けられている。なお、１０は図柄変動表示器２が変動表示中に始動口５に打球が入賞した場合にその個数を記憶し始動を保留するために設けた４つの保留表示ランプ、１１は通過ゲート４を打球が通過することにより変動開始する普通図柄変動表示器（７セグメントデジタル表示装置）、１２は該普通図柄変動表示器１１が変動表示中に通過ゲート４に打球が通った場合にその個数を記憶し変動表示を保留するために設けられた４つの保留表示ランプ、１３は装飾ランプである。
【０００８】
図２はＣＰＵ，ＲＯＭ，ＲＡＭ，Ｉ／Ｏからなる制御基板１５に接続される本発明に関連する入出力機器を示したブロック図で、２０は通過ゲート４を通過した打球を検出する通過検出スイッチ、２１は始動口５に入賞した打球を検出する始動スイッチ、２２は前記可変入賞装置７への入賞球を計数するカウントスイッチ、２３は前記継続入賞口９への入賞球を検出する特定領域スイッチであり、該遊技制御基板にはさらに前記図柄変動表示器２と、保留表示ランプ１０と、普通図柄変動表示器１１と、保留表示ランプ１２と、装飾ランプ１３と、可変入賞装置７のソレノイド２４と、始動口５の羽根６を開閉動させるソレノイド２５が接続されている。
【０００９】
次に本発明の作動を図３，図４のフローチャートに従い説明する。図３のステップａにて通過検出スイッチ２０による通過ゲート４の打球の通過が検出されると、ステップｂにて保留球数がメモリーに更新され、ステップｃにてその保留の有無が判定され、保留が有ると判定されるとステップｄにてそのメモリーの保留球数をマイナス１した後、ステップｅ，ｆにて普通図柄変動表示器１１の表示数字を一定時間変動させた後停止し、ステップｇにてその停止数字が奇数であると判別された場合にステップｈにて始動口５の羽根６を０．５秒間開放する。
【００１０】
また、図４に示したように、ステップＡにて始動スイッチ２１による始動口５への入賞が検知され始動条件が成立すると、ステップＢにて保留球数がメモリーに更新され、ステップＣにてその保留の有無が判定され、保留が有ると判定されるとステップＤにてそのメモリーの保留球数をマイナス１した後、ステップＥに移行し、図５（イ）に示したように、図柄変動表示器２に１〜８の数字および☆◆◎等の記号またはキャラクター等の図柄を３列にて上から下に流れる如くに変動表示させる。そして数秒後に、図５（ハ）（ニ）に示したように、左列，右列の順でその変動表示を停止させ、ステップＨにて左列の停止図柄と右列の停止図柄との同一性を判定し、（ニ）に示したように、同一でなければ（即ち、リーチでなければ）中列を停止させるまでもなくステップＡに戻り、次の始動条件が成立していた場合はただちにステップＥにて図柄変動表示器２の図柄をまた変動表示させる。
【００１１】
また、図５（ハ）に示したように図柄が停止し、ステップＨにて左列の停止図柄と右列の停止図柄とが同一であると判定されると、ステップＪに移行して中列を停止させ、ステップＫにて各列の停止図柄が同一かどうかを判定し、図５（ヘ）に示したように、同一であった場合はステップＬに移行して大当たり動作をする。この大当たり動作は、可変入賞装置７の開閉扉をソレノイド２４の作動により継続的に開成状態とし、継続入賞口９への入賞を条件として第１６ラウンドまで繰り返し該可変入賞装置７を開成状態とすることでこの大当たり動作中に多数の打球が入賞し得るようにするものである。また、図５（ト）に示したように同一でなければステップＡに戻り、次の始動条件が成立すれば図柄変動表示器２の図柄をまた変動表示させる。
【００１２】
一方、以上の実施形態では、図柄変動表示器に常に３列の表示が表示されるようにしたが、図６，図７に示した実施形態は、表示列が適時２列となるようにするものである。即ち、始動条件が成立すると、図６のステップＥにて、図７（イ）に示したように、図柄変動表示器２に図柄が２列にて変動表示され、数秒後に、図７（ハ）（ニ）に示したように、その変動表示を停止させ、ステップＨにて左列の停止図柄と右列の停止図柄との同一性を判定し、（ニ）に示したように、同一でなければ中列を表示するまでもなくステップＡに戻り、次の始動条件が成立していた場合はただちにステップＥにて図柄変動表示器２をまた変動表示させ、また、（ハ）に示したようにステップＨにて左列の停止図柄と右列の停止図柄とが同一であると判定されると、ステップＩに移行し（ホ）に示したように左列および右列の停止図柄を幅方向に少し縮小させてその間に新たに図柄を変動表示させ得る中列を設け、該中列に同様の図柄を変動表示させた後ステップＪにて停止させ、ステップＫにて各列の停止図柄が同一かどうかを判定し、図５（ヘ）に示したように、同一であった場合はステップＬに移行して大当たり動作をし、図５（ト）に示したように同一でなければステップＡに戻り、次の始動条件が成立すれば図柄変動表示器２の図柄をまた変動表示させるものである。
【００１３】
この実施形態のように、２つの表示列の停止図柄が同一となったときに初めて３つ目以降の表示列の図柄を変動表示させるようにすることで、表示を見易くできる。
【００１４】
また、図示しないが、始動条件が成立することにより、図柄変動表示器に、変動を行う２つの表示列と、変動を行わず常に停止表示されている３つ目以降の表示列とが予め表示されており、前記２つの表示列の停止図柄が同一となったときに、停止表示されていた前記３つ目以降の表示列の図柄が初めて変動を行うように構成してもよい。
【００１５】
なおこれらの実施形態は、図柄変動表示器に図柄が上下に動画状に流れる如くに変動表示されるものについて説明したが、左右に流れる如くに変動表示されるものについても適用できることは言うまでもない。またこれらの実施形態では表示列が３列であるものを示したが３列以上とすることもできる。
【００１６】
【発明の効果】
このように本発明は、始動条件が成立することにより図柄変動表示器に数字，記号等の複数の図柄を２列にて動画状に流れる如くに変動表示し、数秒後にその変動表示を停止させて両列の停止図柄の同一性を判定し、両列の停止図柄が同一でなかったときは３列目を表示しない一方、両列の停止図柄が同一であると判定されるとその両列の停止図柄を幅方向に縮小させてその間に新たに３列目の図柄を動画状に流れる如くに変動表示し、数秒後にその３列目の図柄の変動表示を停止させ、全３列の停止図柄が同一であると判定された場合に大当たりが発生し可変入賞装置が継続的に開成状態となるようにしたものであるので、時間の無駄がなくテンポよく遊技が進むようになり、パチンコの興趣を増大させるとともに、２つの表示列の停止図柄が同一となったときに初めて３つ目以降の表示列の図柄を変動表示することで、表示を見易くできるなど、顕著な効果がある。
【図面の簡単な説明】
【図１】本発明に係るパチンコ遊技機の遊技盤の実施形態を示す正面図。
【図２】本発明に係るパチンコ遊技機の実施形態を示すブロック図。
【図３】本発明に係るパチンコ遊技機の実施形態を示すフローチャート。
【図４】本発明に係るパチンコ遊技機の実施形態を示すフローチャート。
【図５】本発明に係るパチンコ遊技機の実施形態を示す図柄変動表示器の表示遷移図。
【図６】本発明に係るパチンコ遊技機の実施形態を示すフローチャート。
【図７】本発明に係るパチンコ遊技機の実施形態を示す図柄変動表示器の表示遷移図。
【符号の説明】
１          遊技盤
２          図柄変動表示器
５          始動口
７          可変入賞装置
【図１】
0003931035.tif 000002
【図２】
0003931035.tif 000003
【図３】
0003931035.tif 000004
【図４】
0003931035.tif 000005
【図５】
0003931035.tif 000006
【図６】
0003931035.tif 000007
【図７】
0003931035.tif 000008